(57)【要約】【課題】光信号による信号伝達ができる住宅情報盤システムであって、付加装置導入時に、それぞれの機種毎に応じた設定情報の登録をする必要のない住宅情報盤システムを提供する。【解決手段】インターホン親機１は、住宅情報付加装置２と光信号伝送するための光信号伝送手段Ｔと、住宅情報付加装置２の機器種別情報に応じてその装置２固有の機能を予め記憶した記憶手段１０とを備えており、住宅情報付加装置２は、その電源起動時あるいは定期的に、その装置２の機器種別情報を送出する送出手段と、インターホン親機１と光信号通信するための光信号伝送手段Ｔとを備えて、送出手段より、電源起動時あるいは定期的に、少なくとも、機器種別情報をインターホン親機１に対して送出して、これを受けたインターホン装置１に対し、その装置２に応じた機能を実行させる。【選択図】図１
2004297275.tif 000002
【特許請求の範囲】
【請求項１】
住宅内の居室に設置されて、玄関などに設置されたドアホン子器と通話をするためのインターホン親機と、セキュリティセンサから感知信号を入力して警報音発生などのセキュリティ報知をするセキュリティ装置などの住宅情報付加装置とを備える住宅情報盤システムにおいて、
上記インターホン親機は、上記住宅情報付加装置と光信号伝送するための光信号伝送手段と、上記住宅情報付加装置の機器種別情報に応じてその装置固有の機能を予め記憶した記憶手段とを備えており、
上記住宅情報付加装置は、その電源起動時あるいは定期的に、その装置の機器種別情報を送出する送出手段と、上記インターホン親機と光信号通信するための光信号伝送手段とを備えて、上記送出手段より、上記電源起動時あるいは定期的に、少なくとも、上記機器種別情報を上記インターホン親機に対して送出して、これを受けた上記インターホン装置に対し、その装置に応じた機能を実行させる住宅情報盤システム。
【請求項２】
請求項１において、
上記インターホン親機と上記住宅情報付加装置とは、赤外線通信によって信号通信をすることを特徴とする住宅情報盤システム。
【請求項３】
請求項１または２において、
上記インターホン親機と上記住宅情報付加装置の各々は、左右両側面に上記光信号伝送手段を備えていることを特徴とする住宅情報盤システム。
【請求項４】
請求項１〜３のいずれかにおいて、
上記インターホン親機及び上記住宅情報付加装置は、相互に、相手方の装置を指定した光通信をしており、各々の装置は、自身の指定されない信号を受信してもその信号の受信を無効とすることを特徴とする住宅情報盤システム。
【請求項５】
請求項１〜４のいずれかにおいて、
上記住宅情報付加装置は、上記インターホン親機に対する信号に付随させて、画像情報、音声情報などの各種情報を送出することを特徴とする住宅情報盤システム。
【請求項６】
請求項１〜５のいずれかにおいて、
上記インターホン親機、上記住宅情報付加装置の各々に対応し、光信号伝送手段を有するリモートコントローラを更に備えており、
上記各々の装置に対応するリモートコントローラの光信号伝送手段より、上記各々の装置の光信号伝送手段に対して、各々の装置の機能を実行させる信号を送出して、各々の装置の機能を実行させる構成とした住宅情報盤システム。
【請求項７】
請求項１〜６のいずれかにおいて、
上記インターホン親機及び上記住宅情報付加装置の各々の光信号伝送手段の光信号送受光面は、各々の装置の側面及び前面に位置することを特徴とする住宅情報盤システム。
【発明の詳細な説明】
【０００１】
【発明の属する技術分野】
本発明は、住宅内の居室に設置されて、玄関などに設置されたドアホン子器と通話をするためのインターホン親機と、セキュリティセンサから感知信号を入力して警報音発生などのセキュリティ報知をするセキュリティ装置などの住宅情報付加装置とを備える住宅情報盤システムの改良に関する。
【０００２】
【従来の技術】
従来より、住戸などにおいては、図９に示すような住宅情報盤システムが広く使用されている。このものは、ドアホン子器Ｄを接続したインターホン親機１００には、伝送線Ｌを通じて、アラームユニットや電気錠操作ユニットなどの住宅情報付加装置２００が付加接続されている。
【０００３】
インターホン親機１００は、ドアホン子器Ｄからの呼出があれば住戸人を呼び出す。このとき、ドアホン子器Ｄで撮影された映像もインターホン親機１に映し出される。
【０００４】
住宅情報付加装置２００は、先述のように、伝送線Ｌを通じてインターホン親機１と接続されており、インターホン親機１との間で伝送線Ｌを通じた通信を行い、各種の機能を実行する。
【０００５】
例えば、住宅情報付加装置２００が、セキュリティセンサを接続したアラームユニットである場合には、セキュリティセンサが発報した際には、アラームユニットで警報を出力するとともに、インターホン親機１００においても警報音が出力される。
【０００６】
また、住宅情報付加装置２００が、電気錠操作ユニットの場合には、このユニットにおける操作あるいは親機１００における操作により、ユニットにより電気錠が制御されて施解錠される。インターホン親機１００では、電気錠の施解錠状態がモニタで視認できる。
【０００７】
しかし、この種のシステムでは、親機１００と付加装置２００との接続が伝送線Ｌでなされているため、種々の問題が生じていた。すなわち、伝送線Ｌは内線端子に接続するタイプと、専用の端子またはコネクタに接続するタイプとがあるが、前者の場合には、使用できるコマンドが限られているため、多彩な機能を実行するといった上で制限があり、後者の場合には、付加装置２００毎に異なる端子、コネクタが必要となり、端子、コネクタの設置スペースを広く確保しなければならなかった。
【０００８】
そのため、本出願人は、下記特許文献１に示すようなシステムを想到し、前記諸問題を解決するに至った。すなわち、このものは、親機１００と付加装置２００とを光通信すべく、光信号伝送手段を各々の装置１００，２００に備えたものとし、伝送線Ｌを接続する手段を必要ないものとした。
【０００９】
【特許文献１】
特開平８−４４９６９号広報
【００１０】
【発明が解決しようとする課題】
ところが、上記特許文献１に示すようなシステムであっても、付加装置を導入する毎にそれぞれの装置の機種に応じて、親機に対して、当該付加装置の設定情報を登録しておく必要があり、システムの導入作業が面倒であった。
【００１１】
本発明は、このような問題を解決すべく提案されるものであり、光信号による信号伝達ができる住宅情報盤システムであって、付加装置導入時に、それぞれの機種毎に応じた設定情報の登録をする必要のない住宅情報盤システムを提供することを目的としている。
【００１２】
【課題を解決するための手段】
上記目的を達成するために、以下の本発明を提案している。請求項１では、インターホン親機は、住宅情報付加装置と光信号伝送するための光信号伝送手段と、住宅情報付加装置の機器種別情報に応じてその装置固有の機能を予め記憶した記憶手段とを備えており、住宅情報付加装置は、その電源起動時あるいは定期的に、その装置の機器種別情報を送出する送出手段と、インターホン親機と光信号通信するための光信号伝送手段とを備えて、送出手段より、電源起動時あるいは定期的に、少なくとも、機器種別情報をインターホン親機に対して送出して、これを受けたインターホン装置に対し、その装置に応じた機能を実行させる。
【００１３】
請求項２では、インターホン親機と住宅情報付加装置とは、赤外線通信によって信号通信をすることを特徴とする。
【００１４】
請求項３では、インターホン親機と住宅情報付加装置の各々は、左右両側面に光信号伝送手段を備えていることを特徴とする。
【００１５】
請求項４では、インターホン親機及び住宅情報付加装置は、相互に、相手方の装置を指定した光通信をしており、各々の装置は、自身の指定されない信号を受信してもその信号の受信を無効とすることを特徴とする。
【００１６】
請求項５では、住宅情報付加装置は、インターホン親機に対する信号に付随させて、画像情報、音声情報などの各種情報を送出することを特徴とする。
【００１７】
請求項６では、インターホン親機、住宅情報付加装置の各々に対応し、光信号伝送手段を有するリモートコントローラを更に備えており、各々の装置に対応するリモートコントローラの光信号伝送手段より、各々の装置の光信号伝送手段に対して、各々の装置の機能を実行させる信号を送出して、各々の装置の機能を実行させる構成とした。
【００１８】
請求項７では、インターホン親機及び住宅情報付加装置の各々の光信号伝送手段の光信号送受光面は、各々の装置の側面及び前面に位置することを特徴とする。
【００１９】
【発明の実施の形態】
以下に、本発明の実施の形態について、図面とともに説明する。図１は、本発明システムの外観構成の一例を示す図である。
【００２０】
このものは、インターホン親機１と付加装置２とは有線接続されておらず、各々の装置１，２が有する光信号伝送部Ｔにより、光信号による通信をする構成としている。なお、光信号伝送部Ｔ以外の装置１，２の内部構成は公知のものと同様である。
【００２１】
図２は、光信号伝送部Ｔを新規に備えたインターホン親機１の内部構成の一例を示すブロック図である。なお、付加装置２の内部構成は図示しないが、これについても光信号伝送部Ｔ以外は公知材料で構成している。
【００２２】
インターホン親機１は、この装置１全体を統括制御するマイコン１０と、モニタを構成するＬＣＤ１１と、ＬＣＤの背面を点灯するバックライト駆動回路１２と、バックライト駆動回路１２の電源制御をする電源制御回路１３と、ＬＣＤ１１を駆動する駆動回路１４と、各種操作を行うための操作スイッチ回路１５と、ドアホン子器Ｄから変調されて送出されてくる映像信号を復調回路１６と、ドアホン子器Ｄからの呼出を検出する検出回路１７と、ドアホン子器Ｄによる再呼出を検出する再呼出検出回路１８と、ドアホン子器Ｄに対する電源供給をする子器給電回路１９と、ドアホン子器Ｄに対する制御コマンドを送信する制御送信回路２０と、各電圧値に電源を切替えるスイッチング電源回路２１と、通話路切替回路２２と、音声スイッチ回路２３と、チャイム音発生回路２４と、マイクＭＩを有するマイクアンプ２５と、スピーカＳＰを有するスピーカアンプ２６とを備える。
【００２３】
更に、この親機１には、本発明の特徴部分である光信号伝送部Ｔを有し、この伝送部Ｔは、所定の搬送周波数によって変調され光信号として受光した、所定コードの信号を電気信号に変換するフォトトランジスタ２７と、所定の搬送周波数によって変調された所定コードの電気信号を当該周波数で発光する赤外ＬＥＤ２８とで構成される。
【００２４】
なお、本実施形態においては、上記搬送周波数への変換、及び、上記搬送周波数からの復調はマイコン１０にて行われる。また、住宅情報付加装置２でもその装置２のマイコン（不図示）により、これらの変換、復調がなされる。
【００２５】
また、親機１のマイコン１０には、住宅情報付加装置２の機器種別情報に応じて、その装置固有の機能を予め記憶している。例えば、住宅情報付加装置２が電気錠操作ユニットである場合には、機器種別情報として電気錠操作ユニットのコードが登録され、それに対応して、後述する諸機能が登録されている。
【００２６】
このような構成の動作を、図３，４を用いて以下説明する。このものでは、アラームユニットなどの住宅情報付加装置２からインターホン親機１に対しては、付加装置２の電源起動時、及び、定期時間毎に、付加装置２のマイコンなどの送出手段より、少なくとも、機器種別情報を送信する。これをインターホン親機１が受けると、その機器種別情報に対応する機能を識別し実行する。
【００２７】
そのような機能は例えば図４に示すように、機器種別情報が電気錠操作ユニットの場合には、その種別情報に対応する機能として、電気錠施解錠状態表示機能を読み出し、図示するようなモニター表示態様とする。なお、施解錠状態は、付加装置２から適宜送られてくるため、これを認識し、その旨を図示する。
【００２８】
ここで、この場合、付加装置２より、画像情報や音声情報などの諸情報をともに送出するようにし、これを受けたインターホン親機１が、送出されてきたこれらを表示や音声出力するようにすれば、親機１において、これらの情報を記憶しておく必要がなく、記憶手段の容量を小さくできる。
【００２９】
なお、これらの画像情報や音声情報などのデータ容量は大きいため、伝送速度に不安のある場合があるため、付加装置２の電源投入時にまとめて送出するようにしてもよい。こうすると、親機１における付加装置２の機種認識時に、機能実行時に必要な各情報が送られてくるため、付加装置２による制御実行時に画像情報などがうまく表示できないとか、非常時である画像表示ができないといった問題が解消される。
【００３０】
図５は、本発明システムの外観構成の他例を示す図である。このものでは、インターホン親機１と付加装置２の各々には、左右両側面に光信号伝送部Ｔを有している。このような構成によれば、付加装置２はインターホン親機１の左右どちらの側にも配置でき、インターホン親機１に対して、付加装置２（＃１）をその左側に、付加装置２（＃２）をその右側に配置できる。
【００３１】
なお、このように、光信号伝送部Ｔを左右両側面に備える装置１，２においては、所定コードの制御コマンドを送信する際、自装置１，２の機種識別情報を付加するようにし、制御コマンド受信時には。図６のフローチャートに示す信号処理をするようにすれば、図７に示すように、インターホン親機１の一方の側面側に対して、付加装置２（＃１，＃２）を複数配置することが可能となる。
【００３２】
すなわち、図６においては、各々の装置１，２が光信号を受信すれば（Ｓ１）、その信号に付加される機種識別情報が自装置１，２であるかを判別し（Ｓ２）、自装置１，２であればそのコマンドに従った処理を実行する（Ｓ３）。一方、自装置１，２でなければ、光信号を受信した光信号伝送部Ｔとは反対側に位置する光信号伝送部Ｔより、受信した信号を転送する（Ｓ４）。つまり、ステップＳ４では、図７を用いて説明すると、付加装置２（＃１）が付加装置２（＃２）から、光信号伝送部Ｔ（＃１）にて親機１を指定した制御コマンドを受信すると、自装置２（＃１）には関係ない信号であるためそれを無効とし、反対側の光信号伝送部Ｔ（＃２）よりその信号を転送する。すると、転送された光信号は親機１へと伝達され、親機１では自装置１を指定した信号であるため、その信号で規定される制御コマンドに従った処理をなす。
【００３３】
図８は、インターホン親機１、付加装置２各々の光信号伝送部Ｔの位置について示す図である。このものでは、各々の装置１，２の側面及び前面に、光信号伝送部Ｔが位置する。これにより、複数の装置１，２を、それぞれ完全に隣に位置するような配置ではなく、少々前後にずれていても、問題なく光信号の伝送ができる。
【００３４】
また、上記した各々のシステムにおいては、各装置１，２はリモートコントローラＲを更に備える。このリモートコントローラＲは、光信号伝送手段Ｔを備え、その操作により各装置１，２に応じた制御コマンドを光信号で、各装置１，２の光信号伝送部Ｔに伝送する。なお、この伝送態様は、図２における説明で先述したものであり、所定の搬送周波数で変調された所定コードの制御コマンドを、当該周波数で発光することにより赤外線信号として送出するものである。このように、各装置１，２への制御をリモートコントローラＲの操作によりできるため、各装置１，２から離れた場所からでもこれらの制御操作が可能となる。
【００３５】
【発明の効果】
以上の説明からも理解できるように、請求項１の本発明によれば、インターホン親機と住宅情報付加装置とは、相互に光信号伝送手段により光信号にて通信を行うため、相互に配線をする必要なく、簡易にシステム構成が行える。
【００３６】
また、住宅情報付加装置からは、その電源起動時あるいは定期的に、少なくとも、その機器種別信号をインターホン親機に送出するため、付加装置を設置する毎に、それぞれの付加装置に応じた設定情報をインターホン親機に登録する手間が省ける。
【００３７】
請求項２では、インターホン親機と住宅情報付加装置とは、赤外線通信によって信号通信をするので、インターホン親機と住宅情報付加装置との間に隙間があったり、若干位置が前後にずれることがあっても、確実に相互通信ができ、システムの信頼性が向上する。
【００３８】
請求項３では、インターホン親機と住宅情報付加装置の各々は、左右両側面に光信号伝送手段を備えているので、インターホン親機に対して、左右どちら側でも住宅情報付加装置を設置することができ、また、２台の住宅情報付加装置の併設が可能となる。
【００３９】
請求項４では、インターホン親機及び住宅情報付加装置は、相互に、相手方の装置を指定した光通信をしており、各々の装置は、自身の指定されない信号を受信してもその信号の受信を無効とするので、インターホン親機に対して、片側に２台以上の連接が可能となり、拡張性が増す。
【００４０】
請求項５では、住宅情報付加装置は、インターホン親機に対する信号に付随させて、画像情報、音声情報などの各種情報を送出するので、インターホンホン親機に記憶させずとも、付加装置に応じた機能のための必要な情報、すなわち、電気錠施解錠状態表示や、アラーム表示などのための情報が使用でき、拡張性という観点から優れたものとなる。
【００４１】
請求項６では、インターホン親機、住宅情報付加装置の各々に対応するリモートコントローラの光信号伝送手段より、各々の装置の光信号伝送手段に対して、各々の装置の機能を実行させる信号を送出して、各々の装置の機能を実行させる構成としたので、これらの装置から離れたところからでも、装置の制御ができ、便利である。
【００４２】
請求項７では、インターホン親機及び住宅情報付加装置の各々の光信号伝送手段の光信号送受光面は、各々の装置の側面及び前面に位置するので、複数の装置を、それぞれ完全に隣に位置するような配置ではなく、少々前後にずれていても、問題なく光信号の伝送ができる。また、各々の装置をリモートコントローラ操作で制御する際にも、装置の真横からではなく、前方からでも制御可能となり、使い勝手がよくなる。
【図面の簡単な説明】
【図１】本発明の外観構成の一例を示す図である。
【図２】親機の内部構成の一例を示すブロック図である。
【図３】本発明の動作について説明するための図である。
【図４】本発明の動作について説明するための図である（電気錠施解錠状態表示動作）。
【図５】本発明の外観構成の他例を示す図である。
【図６】図７のシステムにおける各機器の動作について説明するためのフローチャートである。
【図７】本発明の外観構成の更に他例を示す図である。
【図８】光信号伝送部の設置態様について示す図である。
【図９】従来システムの構成を示す図である。
【符号の説明】
１・・・インターホン親機
２・・・住宅情報付加装置
１０・・・マイコン
Ｄ・・・ドアホン子器
Ｔ・・・光信号伝送部
Ｒ・・・リモートコントローラ
【図１】
2004297275.tif 000003
【図２】
2004297275.tif 000004
【図３】
2004297275.tif 000005
【図４】
2004297275.tif 000006
【図５】
2004297275.tif 000007
【図６】
2004297275.tif 000008
【図７】
2004297275.tif 000009
【図８】
2004297275.tif 000010
【図９】
2004297275.tif 000011